(57)【要約】【課題】  有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせる有害サイトフィルタリング補助装置を提供する。【解決手段】  プレフィルタサーバ１０２は、フィルタサーバ１０３で有害なＷｅｂページと判断されて警告されたＷｅｂページの識別情報が登録されているプレフィルタリストを保持し、Ｗｅｂページの取得要求をフィルタサーバ１０３に送るにあたり、その取得要求に設定されたＷｅｂページの識別情報とプレフィルタリストとを照合し、その取得要求に設定されたＷｅｂページの識別情報がプレフィルタリストに登録されている場合には、その取得要求をフィルタサーバ１０３に送るか否かを確認し、登録されていない場合には、その取得要求をフィルタサーバ１０３に送る。【選択図】  図１
2006309357.tif 000002
【特許請求の範囲】
【請求項１】
インターネットで公開されているＷｅｂページのうち有害なＷｅｂページを取得させないようにフィルタリングを行うフィルタサーバに、Ｗｅｂページの取得要求を送る有害サイトフィルタリング補助装置であって、
前記フィルタサーバで有害なＷｅｂページと判断されて警告されたＷｅｂページの識別情報が登録されているプレフィルタリストを保持するプレフィルタリスト保持手段と、
前記取得要求に設定されたＷｅｂページの識別情報と前記プレフィルタリストとを照合し、前記取得要求に設定されたＷｅｂページの識別情報が前記プレフィルタリストに登録されている場合には、前記取得要求を前記フィルタサーバに送るか否かを確認するプレフィルタリスト照合手段と
を備えることを特徴とする有害サイトフィルタリング補助装置。
【請求項２】
前記有害サイトフィルタリング補助装置は、さらに、前記取得要求によって取得されるＷｅｂページが有害なＷｅｂページであると前記フィルタサーバから警告された場合には、前記取得要求に設定されたＷｅｂページの識別情報を前記プレフィルタリストに登録するプレフィルタリスト登録手段
を備えることを特徴とする請求項１に記載の有害サイトフィルタリング補助装置。
【請求項３】
前記プレフィルタリスト登録手段は、さらに、検索サイトで検索した結果に含まれるＷｅｂページの識別情報と前記プレフィルタリストとを照合し、前記結果に含まれる情報の中から前記プレフィルタリストによって特定される有害なＷｅｂページに関する情報にマークをつけて前記結果を更新する
ことを特徴とする請求項２に記載の有害サイトフィルタリング補助装置。
【請求項４】
前記プレフィルタリスト登録手段は、さらに、検索サイトで検索した結果に含まれるＷｅｂページの識別情報と前記プレフィルタリストとを照合し、前記結果に含まれる情報の中から前記プレフィルタリストによって特定される有害なＷｅｂページに関する情報を削除して前記結果を更新する
ことを特徴とする請求項２に記載の有害サイトフィルタリング補助装置。
【請求項５】
前記プレフィルタリスト照合手段は、他の有害サイトフィルタリング補助装置で保持されている前記プレフィルタリストも利用して照合する
ことを特徴とする請求項１に記載の有害サイトフィルタリング補助装置。
【請求項６】
前記プレフィルタリスト照合手段は、登録されていない場合には、前記取得要求を前記フィルタサーバに送る
ことを特徴とする請求項１に記載の有害サイトフィルタリング補助装置。
【請求項７】
前記有害サイトフィルタリング補助装置は、入力デバイスを介してユーザから受け付けたＷｅｂページの識別情報に基づいて前記取得要求を生成したクライアントであって、
前記プレフィルタリスト照合手段は、前記取得要求によって取得されるＷｅｂページが前記フィルタサーバで有害なＷｅｂページと判断されて警告されたものに該当することを知らせて前記取得要求を前記フィルタサーバに送るか否かを確認する確認用Ｗｅｂページを前記ユーザに表示する
ことを特徴とする請求項１に記載の有害サイトフィルタリング補助装置。
【請求項８】
前記有害サイトフィルタリング補助装置は、ネットワークインターフェースを介してクライアントから送られてきた前記取得要求を前記フィルタサーバに送るプレフィルタサーバであって、
前記プレフィルタリスト照合手段は、前記取得要求によって取得されるＷｅｂページが前記フィルタサーバで有害なＷｅｂページと判断されて警告されたものに該当することを知らせて前記取得要求を前記フィルタサーバに送るか否かを確認する確認用Ｗｅｂページを前記クライアントに送る
ことを特徴とする請求項１に記載の有害サイトフィルタリング補助装置。
【請求項９】
インターネットで公開されているＷｅｂページのうち有害なＷｅｂページを取得させないようにフィルタリングを行うフィルタサーバに、Ｗｅｂページの取得要求を送る有害サイトフィルタリング補助装置を制御する有害サイトフィルタリング補助方法であって、
前記フィルタサーバで有害なＷｅｂページと判断されて警告されたＷｅｂページの識別情報が登録されているプレフィルタリストを保持するプレフィルタリスト保持ステップと、
前記取得要求に設定されたＷｅｂページの識別情報と前記プレフィルタリストとを照合し、前記取得要求に設定されたＷｅｂページの識別情報が前記プレフィルタリストに登録されている場合には、前記取得要求を前記フィルタサーバに送るか否かを確認するプレフィルタリスト照合ステップと
を含むことを特徴とする有害サイトフィルタリング補助方法。
【請求項１０】
インターネットで公開されているＷｅｂページのうち有害なＷｅｂページを取得させないようにフィルタリングを行うフィルタサーバに、Ｗｅｂページの取得要求を送るコンピュータシステムに実行させる有害サイトフィルタリング補助プログラムであって、
前記フィルタサーバで有害なＷｅｂページと判断されて警告されたＷｅｂページの識別情報が登録されているプレフィルタリストと前記取得要求に設定されたＷｅｂページの識別情報とを照合し、前記取得要求に設定されたＷｅｂページの識別情報が前記プレフィルタリストに登録されている場合には、前記取得要求を前記フィルタサーバに送るか否かを確認するプレフィルタリスト照合ステップ
をコンピュータシステムに実行させることを特徴とする有害サイトフィルタリング補助プログラム。
【発明の詳細な説明】
【技術分野】
【０００１】
本発明は、有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせる有害サイトフィルタリング補助装置に関する。
【背景技術】
【０００２】
近年、ネットワークの普及に伴い、ネットワークを介して多数の情報を容易に取得することができる。そして、これらの情報の中には、有益な情報もあれば、逆に有害となる情報も含まれる。とりわけ、企業にとって、有害となる情報については、業務上支障を来すため、問題視されている。これに対して、フィルタリングを行って有害となる情報を遮断する技術が色々と提案されている。
【０００３】
例えば、事前に登録されたキーワードから有害サイトを検索し、検索した結果をリストに登録しておき、Ｗｅｂページにアクセスするときに、そのリストに登録されているか否かでフィルタリングを行う技術が提案されている（例えば、特許文献１参照。）。
【特許文献１】特開２００４−４６７３９号公報
【発明の開示】
【発明が解決しようとする課題】
【０００４】
しかしながら、一般的に、フィルタリングを行いながら履歴を採るため、従業員の勤怠を監視することにも利用されている。そして、有害な情報にアクセスしようとすれば、故意であっても、不用意であっても、同じように履歴に記録されるため、同じように怠けているように評価される。結果、有害な情報か否かが判らなければ、業務上において必要な情報にアクセスしようとしてもためらわれ、業務上支障を来すという問題がある。
【０００５】
そこで、本発明は、前記問題に鑑みてなされたものであり、フィルタサーバを生かしつつ、有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせる有害サイトフィルタリング補助装置を提供することを目的とする。
【課題を解決するための手段】
【０００６】
前記目的を達成するために、本発明に係る有害サイトフィルタリング補助装置は、（ａ）インターネットで公開されているＷｅｂページのうち有害なＷｅｂページを取得させないようにフィルタリングを行うフィルタサーバに、Ｗｅｂページの取得要求を送る有害サイトフィルタリング補助装置であって、（ｂ）前記フィルタサーバで有害なＷｅｂページと判断されて警告されたＷｅｂページの識別情報が登録されているプレフィルタリストを保持するプレフィルタリスト保持手段と、（ｃ）前記取得要求に設定されたＷｅｂページの識別情報と前記プレフィルタリストとを照合し、前記取得要求に設定されたＷｅｂページの識別情報が前記プレフィルタリストに登録されている場合には、前記取得要求を前記フィルタサーバに送るか否かを確認するプレフィルタリスト照合手段とを備えることとする。
【０００７】
これによって、有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせることができ、フィルタサーバから再度警告されることを回避することができる。
【０００８】
なお、本発明は、有害サイトフィルタリング補助装置として実現されるだけではなく、有害サイトフィルタリング補助装置を制御する方法（以下、有害サイトフィルタリング補助方法と呼称する。）、有害サイトフィルタリング補助方法をコンピュータシステムなどに実行させるプログラム（以下、有害サイトフィルタリング補助プログラムと呼称する。）、有害サイトフィルタリング補助プログラムを記録した記録媒体などとして実現されるとしてもよい。
【発明の効果】
【０００９】
以上説明したように、本発明に係る有害サイトフィルタリング補助装置によれば、有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせることができる。
【発明を実施するための最良の形態】
【００１０】
（実施の形態１）
以下、本発明に係る実施の形態１について図面を参照しながら説明する。
【００１１】
本実施の形態における有害サイトフィルタリング補助装置は、Ｗｅｂページの取得要求をフィルタサーバに送る前に、その取得要求に設定されたＷｅｂページがフィルタサーバで有害なＷｅｂページと判断されたか否かを判定するサーバ（以下、プレフィルタサーバと呼称する。）であることを特徴とする。
【００１２】
以上の点を踏まえて本実施の形態における有害サイトフィルタリング補助装置、すなわち、プレフィルタサーバについて説明する。
【００１３】
まず、本実施の形態におけるプレフィルタサーバを備える有害サイトフィルタシステムのシステム構成について説明する。
【００１４】
図１に示されるように、有害サイトフィルタシステム１００は、クライアント１０１から送られてきたＷｅｂページの取得要求をフィルタサーバ１０３に送る前に、その取得要求に設定されたＷｅｂページがフィルタサーバ１０３で有害なＷｅｂページと判断されたか否かを判定するプレフィルタサーバ１０２を備える。
【００１５】
なお、クライアント１０１は、インターネット１０５で公開されているＷｅｂページを取得して表示する機能を備えるネットワーク装置である。具体的には、図には示されてはいないが、入力デバイスを介して、Ｗｅｂページの識別情報をユーザ１０４から受け付け、その識別情報に基づいて、そのＷｅｂページの取得要求を生成する。さらに、その取得要求をプレフィルタサーバ１０２に送る。そして、そのＷｅｂページをプレフィルタサーバ１０２から受けると、出力デバイスを介して、そのＷｅｂページを表示する。
【００１６】
「ネットワーク装置」とは、例えば、コンピュータシステム、通信機器、組み込みシステム、ネットワーク家電などのように、ネットワークインターフェース（例えば、イーサネット（登録商標）など。）を備え、ネットワークを介して、他のネットワーク装置とデータ通信を行うことができる機能を有する装置をいう。
【００１７】
なお、フィルタサーバ１０３は、インターネット１０５で公開されているＷｅｂページのうち有害なＷｅｂページを取得させないようにフィルタリングを行う機能を備えるネットワーク装置である。具体的には、無害サイト１０６のＷｅｂページを取得しても、有害サイト１０７のＷｅｂページを取得させないように、（ａ）レイティング方式、（ｂ）ブラックリスト方式、（ｃ）ホワイトリスト方式、（ｄ）キーワード／フレーズ方式／全文検索方式などを用いてフィルタリングを行う。
【００１８】
「無害サイト」とは、無害なＷｅｂページを公開しているＷｅｂサイトである。
「有害サイト」とは、有害なＷｅｂページを公開しているＷｅｂサイトである。
【００１９】
「レイティング方式」とは、ホームページに対して、一定基準で格付けしておき、情報受信者が、格付けした結果を利用して、受信者の価値判断でフィルタリングを行う方式である。さらに、情報発信者が自ら格付けする「セルフレイティング」と、第三者が格付けする「第三者レイティング」がある。
【００２０】
「ブラックリスト方式」とは、アクセスを拒否するＷｅｂサイトについてのリストを作成し、そのリストに登録されているＷｅｂサイトに対するアクセスを拒否する方式である。
【００２１】
「ホワイトリスト方式」とは、アクセスを許可するＷｅｂサイトについてのリストを作成し、そのリストに登録されているＷｅｂサイトに対するアクセスを許可する方式である。
【００２２】
「キーワード／フレーズ方式」とは、予め抽出されたキーワードまたはフレーズを含むＷｅｂサイトに対するアクセスを拒否または許可する方式である。
【００２３】
なお、クライアント１０１、プレフィルタサーバ１０２、およびフィルタサーバ１０３のそれぞれは、ネットワークインターフェースを備え、各装置間で、ＴＣＰ／ＩＰ（Transmission Control Protocol/Internet Protocol）またはＵＤＰ／ＩＰ（User Datagram Protocol/Internet Protocol）などの通信プロトコルに基づいて、パケット単位でデータが送受信される。
【００２４】
なお、取得要求およびＷｅｂページは、ＲＦＣ（Request for Comments）２０６８で提案されているＨＴＴＰ（HyperText Transfer Protocol）に基づいて、各装置間で送受信される。
【００２５】
なお、Ｗｅｂページの識別情報は、例えば、ＵＲＬ（Uniform Resource Locator）、ＵＲＩ（Uniform Resource Identifier）などである。
【００２６】
ここでは、一例として、Ｗｅｂページの識別情報をＵＲＩとし、ＷｅｂサイトのトップページのＵＲＩでフィルタリングされることとする。
【００２７】
続いて、本実施の形態におけるプレフィルタサーバの機能構成について説明する。
図２に示されるように、プレフィルタサーバ１０２は、Ｗｅｂページの取得要求をフィルタサーバ１０３に送る前に、その取得要求に設定されたＷｅｂページがフィルタサーバ１０３で有害なＷｅｂページと判断されたか否かを判定する機能を備えるネットワーク装置である。ここでは、一例として、プレフィルタリスト保持部１２１、プレフィルタリスト照合部１２２、およびプレフィルタリスト登録部１２３などを備える。
【００２８】
プレフィルタリスト保持部１２１は、プレフィルタリストを保持する。
プレフィルタリスト照合部１２２は、クライアント１０１から送られてきたＷｅｂページの取得要求を受けると、その取得要求に設定されたＷｅｂページの識別情報とプレフィルタリストとを照合する。そして、その識別情報がプレフィルタリストに登録されている場合には、確認用Ｗｅｂページをクライアント１０１に送る。一方、登録されていない場合には、その取得要求をフィルタサーバ１０３に送る。また、確認用Ｗｅｂページを送り、クライアント１０１から、フィルタサーバ１０３に送ると返答された場合には、その取得要求をフィルタサーバ１０３に送る。一方、フィルタサーバ１０３に送らないと返答された場合には、その取得要求を廃棄する。
【００２９】
プレフィルタリスト登録部１２３は、フィルタサーバ１０３から送られてきたＷｅｂページを受けると、そのＷｅｂページが警告用Ｗｅｂページである場合には、その警告用Ｗｅｂページによって警告されたＷｅｂページの識別情報をプレフィルタリストに登録し、警告用Ｗｅｂページをクライアントに送る。一方、警告用Ｗｅｂページでない場合には、そのＷｅｂページをクライアント１０１に送る。
【００３０】
「プレフィルタリスト」とは、フィルタサーバから有害なＷｅｂページと判断されて警告されたＷｅｂページの識別情報が登録されているリストである。例えば、図３に示されるプレフィルタリスト１４０のように、フィルタサーバ１０３で有害なＷｅｂページと判断されて警告された有害サイトのサーバ名”http://www1.harmfulwebsite.com/”（Ｒ１４１）などが登録されている。
【００３１】
「確認用Ｗｅｂページ」とは、取得要求に設定されたＷｅｂページがフィルタサーバ１０３で有害なＷｅｂページと判断されて警告されたものに該当することを知らせ、その取得要求をフィルタサーバ１０３に送るか否かを確認するＷｅｂページである。例えば、図４に示される確認用Ｗｅｂページ１５０のように、ユーザが有害なＷｅｂサイトにアクセスしようとしていることを知らせ、それに対するユーザの応答を受け付ける内容が含まれる。
【００３２】
「警告用Ｗｅｂページ」とは、取得要求に設定されたＷｅｂページが有害であることを警告するＷｅｂページである。例えば、図５に示される警告用Ｗｅｂページ１６０のように、ユーザが有害なＷｅｂサイトにアクセスしようとしたので、アクセスを拒否したことを知らせる内容が含まれる。
【００３３】
なお、プレフィルタリスト照合部１２２は、ＷｅｂサイトのトップページのＵＲＩがプレフィルタリストに登録されていれば、そのトップページの配下のＷｅｂページのＵＲＩについても同様に登録されていると判定するとしてもよい。
【００３４】
続いて、本実施の形態におけるプレフィルタサーバにおいて実行されるプレフィルタ処理について説明する。
【００３５】
図６に示されるように、プレフィルタサーバ１０２は、クライアント１０１から送られてきたＷｅｂページの取得要求を受けると（Ｓ１０１：Ｙｅｓ）、その取得要求をフィルタサーバ１０３に送る前に、その取得要求に設定されたＷｅｂページの識別情報とプレフィルタリストとを照合する（Ｓ１０２）。そして、その識別情報がプレフィルタリストに登録されている場合には（Ｓ１０３：Ｙｅｓ）、確認用Ｗｅｂページをクライアント１０１に送る（Ｓ１０４）。一方、登録されていない場合には（Ｓ１０３：Ｎｏ）、その取得要求をフィルタサーバ１０３に送る（Ｓ１０５）。また、確認用Ｗｅｂページを送り、クライアント１０１から、フィルタサーバ１０３に送ると返答された場合には（Ｓ１０６：Ｙｅｓ）、その取得要求をフィルタサーバ１０３に送る（Ｓ１０５）。一方、フィルタサーバ１０３に送らないと返答された場合には（Ｓ１０６：Ｎｏ）、その取得要求を廃棄する（Ｓ１０７）。
【００３６】
そして、プレフィルタサーバ１０２は、フィルタサーバ１０３から送られてきたＷｅｂページを受けると（Ｓ１１１：Ｙｅｓ）、そのＷｅｂページが警告用Ｗｅｂページである場合には（Ｓ１１２：Ｙｅｓ）、その警告用Ｗｅｂページによって警告されたＷｅｂページの識別情報をプレフィルタリストに登録し（Ｓ１１３）、警告用Ｗｅｂページをクライアント１０１に送る（Ｓ１１４）。一方、警告用Ｗｅｂページでない場合には（Ｓ１１２：Ｎｏ）、そのＷｅｂページをクライアント１０１に送る（Ｓ１１５）。
【００３７】
続いて、本実施の形態における有害サイトフィルタシステムの動作例について説明する。
【００３８】
まず、クライアント１０１が取得しようとするＷｅｂページが無害サイト１０６で公開されている無害なＷｅｂページであり、そのＷｅｂページの識別情報がプレフィルタリストに登録されていない場合について説明する（動作例１）。
【００３９】
図７に示されるように、クライアント１０１は、入力デバイスを介して、無害サイト１０６で公開されている無害なＷｅｂページの識別情報をユーザ１０４から受け付ける（Ｓ１２１）。そして、その識別情報に基づいて生成したＷｅｂページの取得要求をプレフィルタサーバ１０２に送る（Ｓ１２２）。
【００４０】
プレフィルタサーバ１０２は、クライアント１０１から送られてきたＷｅｂページの取得要求を受けると（Ｓ１２２）、その取得要求をフィルタサーバ１０３に送る前に、その取得要求に設定されたＷｅｂページの識別情報とプレフィルタリストとを照合する。このとき、クライアント１０１が取得しようとするＷｅｂページが無害サイト１０６で公開されている無害なＷｅｂページであり、そのＷｅｂページの識別情報がプレフィルタリストに登録されていないことにより、その取得要求をフィルタサーバ１０３に送る（Ｓ１２３）。
【００４１】
フィルタサーバ１０３は、プレフィルタサーバ１０２から送られてきたＷｅｂページの取得要求を受けると（１２３）、その取得要求に設定されたＷｅｂページが無害サイト１０６で公開されている無害なＷｅｂページであると判断し、そのＷｅｂページを無害サイト１０６から取得してプレフィルタサーバ１０２に送る（Ｓ１２４〜Ｓ１２６）。
【００４２】
プレフィルタサーバ１０２は、フィルタサーバ１０３から送られてきたＷｅｂページを受けると（Ｓ１２６）、そのＷｅｂページが警告用Ｗｅｂページでないことにより、そのＷｅｂページをクライアント１０１に送る（Ｓ１２７）。
【００４３】
クライアント１０１は、プレフィルタサーバ１０２から送られてきたＷｅｂページを受けると（Ｓ１２７）、出力デバイスを介して、そのＷｅｂページをユーザ１０４に表示する（Ｓ１２８）。
【００４４】
続いて、クライアント１０１が取得しようとするＷｅｂページが有害サイト１０７で公開されている有害なＷｅｂページであるが、そのＷｅｂページの識別情報がプレフィルタリストに登録されていない場合について説明する（動作例２）。
【００４５】
図８に示されるように、クライアント１０１は、入力デバイスを介して、有害サイト１０７で公開されている有害なＷｅｂページの識別情報をユーザ１０４から受け付ける（Ｓ１３１）。そして、その識別情報に基づいて生成したＷｅｂページの取得要求をプレフィルタサーバ１０２に送る（Ｓ１３２）。
【００４６】
プレフィルタサーバ１０２は、クライアント１０１から送られてきたＷｅｂページの取得要求を受けると（Ｓ１３２）、その取得要求をフィルタサーバ１０３に送る前に、その取得要求に設定されたＷｅｂページの識別情報とプレフィルタリストとを照合する。このとき、クライアント１０１が取得しようとするＷｅｂページが有害サイト１０７で公開されている有害なＷｅｂページであるが、そのＷｅｂページの識別情報がプレフィルタリストに登録されていないことにより、その取得要求をフィルタサーバ１０３に送る（Ｓ１３３）。
【００４７】
フィルタサーバ１０３は、プレフィルタサーバ１０２から送られてきたＷｅｂページの取得要求を受けると（Ｓ１３３）、その取得要求に設定されたＷｅｂページが有害サイト１０７で公開されている有害なＷｅｂページであると判断し、そのＷｅｂページを有害サイト１０７から取得せずに警告用Ｗｅｂページをプレフィルタサーバ１０２に送る（Ｓ１３４）。
【００４８】
プレフィルタサーバ１０２は、フィルタサーバ１０３から送られてきたＷｅｂページを受けると（Ｓ１３４）、そのＷｅｂページが警告用Ｗｅｂページであることにより、その警告用Ｗｅｂページによって警告されたＷｅｂページの識別情報をプレフィルタリストに登録し、警告用Ｗｅｂページをクライアント１０１に送る（Ｓ１３５）。
【００４９】
クライアント１０１は、プレフィルタサーバ１０２から送られてきた警告用Ｗｅｂページを受けると（Ｓ１３５）、出力デバイスを介して、警告用Ｗｅｂページをユーザ１０４に表示する（Ｓ１３６）。
【００５０】
続いて、クライアント１０１が取得しようとするＷｅｂページが有害サイト１０７で公開されている有害なＷｅｂページであり、そのＷｅｂページの識別情報がプレフィルタリストに登録されている場合について説明する（動作例３）。
【００５１】
図９に示されるように、クライアント１０１は、入力デバイスを介して、有害サイト１０７で公開されている有害なＷｅｂページの識別情報をユーザ１０４から受け付ける（Ｓ１４１）。そして、その識別情報に基づいて生成したＷｅｂページの取得要求をプレフィルタサーバ１０２に送る（Ｓ１４２）。
【００５２】
プレフィルタサーバ１０２は、クライアント１０１から送られてきたＷｅｂページの取得要求を受けると（Ｓ１４２）、その取得要求をフィルタサーバ１０３に送る前に、その取得要求に設定されたＷｅｂページの識別情報とプレフィルタリストとを照合する。このとき、クライアント１０１が取得しようとするＷｅｂページが有害サイト１０７で公開されている有害なＷｅｂページであり、そのＷｅｂページの識別情報がプレフィルタリストに登録されていることにより、確認用Ｗｅｂページをクライアント１０１に送る（Ｓ１４３）。
【００５３】
クライアント１０１は、プレフィルタサーバ１０２から送られてきた確認用Ｗｅｂページを受けると（Ｓ１４３）、出力デバイスを介して、確認用Ｗｅｂページをユーザに表示する（Ｓ１４４）。これによって、ユーザ１０４は、フィルタサーバ１０３でフィルタリングされる前に、有害なＷｅｂサイトにアクセスしようとしていることを知ることができる。そして、入力デバイスを介して、フィルタサーバ１０３に送るとユーザ１０４から受け付けると（Ｓ１４５ａ）、またはフィルタサーバ１０３に送らないとユーザ１０４から受け付けると（Ｓ１４５ｂ）、その旨をプレフィルタサーバ１０２に返答する（Ｓ１４６ａ，Ｓ１４６ｂ）。
【００５４】
プレフィルタサーバ１０２は、フィルタサーバ１０３に送るとクライアント１０１から返答されると（Ｓ１４６ａ）、その取得要求をフィルタサーバ１０３に送り（Ｓ１４７）、送らないと返答されると（Ｓ１４６ｂ）、その取得要求を廃棄する。
【００５５】
フィルタサーバ１０３は、プレフィルタサーバ１０２から送られてきたＷｅｂページの取得要求を受けると（Ｓ１４７ａ）、その取得要求に設定されたＷｅｂページが有害サイト１０７で公開されている有害なＷｅｂページであると判断し、そのＷｅｂページを有害サイト１０７から取得せずに警告用Ｗｅｂページをプレフィルタサーバ１０２に送る（Ｓ１４８ａ）。
【００５６】
プレフィルタサーバ１０２は、フィルタサーバ１０３から送られてきたＷｅｂページを受けると（Ｓ１４８ａ）、そのＷｅｂページが警告用Ｗｅｂページであることにより、その警告用Ｗｅｂページによって警告されたＷｅｂページの識別情報をプレフィルタリストに登録し、警告用Ｗｅｂページをクライアント１０１に送る（Ｓ１４９ａ）。
【００５７】
クライアント１０１は、プレフィルタサーバ１０２から送られてきた警告用Ｗｅｂページを受けると（Ｓ１４９ａ）、出力デバイスを介して、警告用Ｗｅｂページをユーザ１０４に表示する（Ｓ１５０ａ）。
【００５８】
以上説明したように、本実施の形態における有害サイトフィルタリング補助装置によれば、フィルタサーバで遮断される前に、ユーザが有害なＷｅｂサイトにアクセスしようとしていることを知ることができ、フィルタサーバから再度警告されることを回避させることができる。
【００５９】
（実施の形態２）
次に、本発明に係る実施の形態２について図面を参照しながら説明する。
【００６０】
本実施の形態における有害サイトフィルタリング補助装置は、検索サイトで検索して検索結果を取得する場合において、その検索結果に含まれるＷｅｂページの識別情報とプレフィルタリストとを照合し、検索結果に含まれるＷｅｂページの識別情報のうち、有害なＷｅｂページの識別情報にマークをつけるサーバ（以下、プレフィルタサーバと呼称する。）であることを特徴とする。
【００６１】
以上の点を踏まえて本実施の形態における有害サイトフィルタリング補助装置、すなわち、プレフィルタサーバについて説明する。なお、実施の形態１における構成要素と同一の構成要素については、同一の参照符号を付して説明を省略する。
【００６２】
まず、本実施の形態におけるプレフィルタサーバを備える有害サイトフィルタシステムのシステム構成について説明する。
【００６３】
図１０に示されるように、有害サイトフィルタシステム２００は、有害サイトフィルタシステム１００と比べて、下記（１）の点が異なる。
【００６４】
（１）プレフィルタサーバ１０２の代わりに、プレフィルタサーバ２０２を備える。
プレフィルタサーバ２０２は、検索サイト２０８で検索して検索結果を取得する場合において、その検索結果に含まれるＷｅｂページの識別情報とプレフィルタリストとを照合し、その検索結果に含まれるＷｅｂページの識別情報のうち、有害なＷｅｂページの識別情報にマークをつける機能も備えるネットワーク装置である。
【００６５】
「検索サイト」とは、インターネット１０５で公開されている情報を、キーワードなどを使って検索するＷｅｂサイトである。
【００６６】
続いて、本実施の形態におけるプレフィルタサーバの機能構成について説明する。
図１１に示されるように、プレフィルタサーバ２０２は、プレフィルタサーバ１０２と比べて、下記（１）の点が異なる。
【００６７】
（１）プレフィルタリスト登録部１２３の代わりに、プレフィルタリスト登録部２２３を備える。
【００６８】
プレフィルタリスト登録部２２３は、フィルタサーバ１０３から送られてきたＷｅｂページを受けると、そのＷｅｂページが検索結果である場合には、検索結果に含まれるＷｅｂページの識別情報とプレフィルタリストとを照合する。そして、その検索結果に含まれるＷｅｂページの識別情報のうち、プレフィルタリストに登録されている有害なＷｅｂページの識別情報にマークをつけて検索結果を更新し、更新後の検索結果をクライアント１０１に送る。具体的には、図１２に示される検索結果２７０のように、無害なＷｅｂページに関する部分２７１、２７３と区別して、有害なＷｅｂページに関する部分２７２に”！！有害サイト！！”のマーク２７４をつける。
【００６９】
続いて、本実施の形態におけるプレフィルタサーバにおいて実行されるプレフィルタ処理について説明する。
【００７０】
図１３に示されるように、プレフィルタサーバ２０２は、フィルタサーバ１０３から送られてきたＷｅｂページを受けると（Ｓ１１１：Ｙｅｓ）、そのＷｅｂページが検索結果である場合には（Ｓ２１１：Ｙｅｓ）、その検索結果に含まれるＷｅｂページの識別情報とプレフィルタリストとを照合する（Ｓ２１２）。そして、その検索結果に含まれるＷｅｂページの識別情報のうち、プレフィルタリストに登録されている有害なＷｅｂページの識別情報にマークをつけて検索結果を更新し、更新後の検索結果をクライアント１０１に送る（Ｓ２１３〜Ｓ２１５）。一方、そのＷｅｂページが検索結果でない場合には（Ｓ２１１：Ｎｏ）、そのＷｅｂページをクライアント１０１に送る（Ｓ２１５）。
【００７１】
以上説明したように、本実施の形態における有害サイトフィルタリング補助装置によれば、ユーザに注意を促し、検索結果から不用意に有害なＷｅｂページにアクセスすることを回避させることができる。
【００７２】
なお、マークをつける代わりに、図１４に示される検索結果２８０のように、無害なＷｅｂページに関する部分２８１、２８２を残し、有害なＷｅｂページに関する部分を削除するとしてもよい。
【００７３】
（実施の形態３）
次に、本発明に係る実施の形態３について図面を参照しながら説明する。
【００７４】
本実施の形態における有害サイトフィルタリング補助装置は、Ｗｅｂページの取得要求をフィルタサーバに送る前に、その取得要求に設定されたＷｅｂページがフィルタサーバで有害なＷｅｂページと判断されたか否かを判定するクライアントであることを特徴とする。
【００７５】
以上の点を踏まえて本実施の形態における有害サイトフィルタリング補助装置、すなわち、クライアントについて説明する。なお、実施の形態１における構成要素と同一の構成要素については、同一の参照符号を付して説明を省略する。
【００７６】
まず、本実施の形態におけるクライアントを備える有害サイトフィルタシステムのシステム構成について説明する。
【００７７】
図１５に示されるように、有害サイトフィルタシステム３００は、有害サイトフィルタシステム１００と比べて、下記（１）、（２）の点が異なる。
【００７８】
（１）クライアント１０１の代わりに、クライアント３０１を備える。
クライアント３０１は、Ｗｅｂページの取得要求をフィルタサーバに送る前に、その取得要求に設定されたＷｅｂページがフィルタサーバで有害なＷｅｂページと判断されたか否かを判定する機能も備えるネットワーク装置である。
【００７９】
（２）プレフィルタサーバ１０２を備えない。
続いて、本実施の形態におけるクライアントの機能構成について説明する。
【００８０】
図１６に示されるように、クライアント３０１は、Ｗｅｂページの取得要求をフィルタサーバ１０３に送る前に、その取得要求に設定されたＷｅｂページがフィルタサーバ１０３で有害なＷｅｂページと判断されたか否かを判定する機能を備えるネットワーク装置である。ここでは、一例として、プレフィルタリスト保持部３１１、プレフィルタリスト照合部３１２、およびプレフィルタリスト登録部３１３などを備える。
【００８１】
プレフィルタリスト保持部３１１は、プレフィルタリストを保持する。
プレフィルタリスト照合部３１２は、Ｗｅｂページの取得要求をフィルタサーバ１０３に送る前に、その取得要求に設定されたＷｅｂページの識別情報とプレフィルタリストとを照合する。そして、その識別情報がプレフィルタリストに登録されている場合には、出力デバイスを介して、確認用Ｗｅｂページをユーザ１０４に表示する。一方、登録されていない場合には、その取得要求をフィルタサーバ１０３に送る。また、出力デバイスを介して、確認用Ｗｅｂページをユーザ１０４に表示し、入力デバイスを介して、フィルタサーバ１０３に送るとユーザ１０４から返答された場合には、その取得要求をフィルタサーバ１０３に送る。一方、フィルタサーバ１０３に送らないと返答された場合には、その取得要求を廃棄する。
【００８２】
プレフィルタリスト登録部３１３は、フィルタサーバ１０３から送られてきたＷｅｂページを受けると、そのＷｅｂページが警告用Ｗｅｂページである場合には、その警告用Ｗｅｂページによって警告されたＷｅｂページの識別情報をプレフィルタリストに登録し、出力デバイスを介して、警告用Ｗｅｂページをユーザ１０４に表示する。一方、警告用Ｗｅｂページでない場合には、出力デバイスを介して、そのＷｅｂページを表示する。
【００８３】
続いて、本実施の形態におけるクライアントにおいて実行されるプレフィルタ処理について説明する。
【００８４】
図１７に示されるように、クライアント３０１は、入力デバイスを介して、Ｗｅｂページの識別情報をユーザ１０４から受け付けると（Ｓ３０１）、その識別情報に基づいて、そのＷｅｂページの取得要求を生成する（Ｓ３０２）。さらに、Ｗｅｂページの取得要求をフィルタサーバ１０３に送る前に、その取得要求に設定されたＷｅｂページの識別情報とプレフィルタリストとを照合する（Ｓ３０３）。そして、その識別情報がプレフィルタリストに登録されている場合には（Ｓ３０４：Ｙｅｓ）、確認用Ｗｅｂページをユーザ１０４に表示する（Ｓ３０５）。一方、登録されていない場合には（Ｓ３０４：Ｎｏ）、その取得要求をフィルタサーバ１０３に送る（Ｓ３０６）。また、確認用Ｗｅｂページをユーザ１０４に表示し、フィルタサーバ１０３に送るとユーザ１０４から返答された場合には（Ｓ３０７：Ｙｅｓ）、その取得要求をフィルタサーバ１０３に送る（Ｓ３０６）。一方、フィルタサーバ１０３に送らないと返答された場合には（Ｓ３０７：Ｎｏ）、その取得要求を廃棄する（Ｓ３０８）。
【００８５】
そして、クライアント３０１は、フィルタサーバ１０３から送られてきたＷｅｂページを受けると（Ｓ３１１：Ｙｅｓ）、そのＷｅｂページが警告用Ｗｅｂページである場合には（Ｓ３１２：Ｙｅｓ）、その警告用Ｗｅｂページによって警告されたＷｅｂページの識別情報をプレフィルタリストに登録し（Ｓ３１３）、警告用Ｗｅｂページをユーザに表示する（Ｓ３１４）。一方、警告用Ｗｅｂページでない場合には（Ｓ３１２：Ｎｏ）、そのＷｅｂページをユーザに表示する（Ｓ３１５）。
【００８６】
続いて、本実施の形態における有害サイトフィルタシステムの動作例について説明する。
【００８７】
まず、クライアント３０１が取得しようとするＷｅｂページが無害サイト１０６で公開されている無害なＷｅｂページであり、そのＷｅｂページの識別情報がプレフィルタリストに登録されていない場合について説明する（動作例４）。
【００８８】
図１８に示されるように、クライアント３０１は、入力デバイスを介して、無害サイト１０６で公開されている無害なＷｅｂページの識別情報をユーザ１０４から受ける（Ｓ３２１）。そして、その識別情報に基づいて生成したＷｅｂページの取得要求をフィルタサーバ１０３に送る前に、その取得要求に設定されたＷｅｂページの識別情報とプレフィルタリストとを照合する。このとき、クライアント３０１が取得しようとするＷｅｂページが無害サイト１０６で公開されている無害なＷｅｂページであり、そのＷｅｂページの識別情報がプレフィルタリストに登録されていないことにより、その取得要求をフィルタサーバ１０３に送る（Ｓ３２２）。
【００８９】
フィルタサーバ１０３は、クライアント３０１から送られてきたＷｅｂページの取得要求を受けると（Ｓ３２２）、その取得要求に設定されたＷｅｂページが無害サイト１０６で公開されている無害なＷｅｂページであると判断し、そのＷｅｂページを無害サイト１０６から取得してクライアント３０１に送る（Ｓ３２３〜Ｓ３２５）。
【００９０】
クライアント３０１は、フィルタサーバ１０３から送られてきたＷｅｂページを受けると（Ｓ３２５）、そのＷｅｂページが警告用Ｗｅｂページでないことにより、出力デバイスを介して、そのＷｅｂページをユーザに表示する（Ｓ３２６）。
【００９１】
続いて、クライアント３０１が取得しようとするＷｅｂページが有害サイト１０７で公開されている有害なＷｅｂページであるが、そのＷｅｂページの識別情報がプレフィルタリストに登録されていない場合について説明する（動作例５）。
【００９２】
図１９に示されるように、クライアント３０１は、入力デバイスを介して、有害サイト１０７で公開されている有害なＷｅｂページの識別情報をユーザ１０４から受ける（Ｓ３３１）。そして、その識別情報に基づいて生成したＷｅｂページの取得要求をフィルタサーバ１０３に送る前に、その取得要求に設定されたＷｅｂページの識別情報とプレフィルタリストとを照合する。このとき、クライアント３０１が取得しようとするＷｅｂページが有害サイト１０７で公開されている有害なＷｅｂページであるが、そのＷｅｂページの識別情報がプレフィルタリストに登録されていないことにより、その取得要求をフィルタサーバ１０３に送る（Ｓ３３２）。
【００９３】
フィルタサーバ１０３は、クライアント３０１から送られてきたＷｅｂページの取得要求を受けると（Ｓ３３２）、その取得要求に設定されたＷｅｂページが有害サイト１０７で公開されている有害なＷｅｂページであると判断し、そのＷｅｂページを有害サイト１０７から取得せずに警告用Ｗｅｂページをクライアント３０１に送る（Ｓ３３３）。
【００９４】
クライアント３０１は、フィルタサーバ１０３から送られてきたＷｅｂページを受けると（Ｓ３３３）、そのＷｅｂページが警告用Ｗｅｂページであることにより、その警告用Ｗｅｂページによって警告されたＷｅｂページの識別情報をプレフィルタリストに登録し、出力デバイスを介して、警告用Ｗｅｂページをユーザ１０４に表示する（Ｓ３３４）。
【００９５】
続いて、クライアント３０１が取得しようとするＷｅｂページが有害サイト１０７で公開されている有害なＷｅｂページであり、そのＷｅｂページの識別情報がプレフィルタリストに登録されている場合について説明する（動作例６）。
【００９６】
図２０に示されるように、クライアント３０１は、入力デバイスを介して、有害サイト１０７で公開されている有害なＷｅｂページの識別情報をユーザ１０４から受ける（Ｓ３４１）。そして、その識別情報に基づいて生成したＷｅｂページの取得要求をフィルタサーバ１０３に送る前に、その取得要求に設定されたＷｅｂページの識別情報とプレフィルタリストとを照合する。このとき、クライアント３０１が取得しようとするＷｅｂページが有害サイト１０７で公開されている有害なＷｅｂページであり、そのＷｅｂページの識別情報がプレフィルタリストに登録されていることにより、出力デバイスを介して、確認用Ｗｅｂページをユーザに表示する（Ｓ３４２）。
これによって、ユーザ１０４は、フィルタサーバ１０３でフィルタリングされる前に、有害なＷｅｂサイトにアクセスしようとしていることを知ることができる。そして、入力デバイスを介して、フィルタサーバ１０３に送るとユーザ１０４から受け付けると（Ｓ３４３ａ）、その取得要求をフィルタサーバ１０３に送らないとユーザ１０４から受け付けると（Ｓ３４３ｂ）、その取得要求を廃棄する。
【００９７】
フィルタサーバ１０３は、クライアント３０１から送られてきたＷｅｂページの取得要求を受けると（３４４ａ）、その取得要求に設定されたＷｅｂページが有害サイト１０７公開されている有害なＷｅｂページであると判断し、そのＷｅｂページを有害サイト１０７から取得せずに警告用Ｗｅｂページをクライアント３０１に送る（Ｓ３４５ａ）。
【００９８】
クライアント３０１は、フィルタサーバ１０３から送られてきたＷｅｂページを受けると（Ｓ３４６ａ）、そのＷｅｂページが警告用Ｗｅｂページであることにより、出力デバイスを介して、警告用Ｗｅｂページをユーザ１０４に表示する（Ｓ３４６ａ）。
【００９９】
以上説明したように、本実施の形態における有害サイトフィルタリング補助装置によれば、フィルタサーバでフィルタリングされる前に、ユーザが有害なＷｅｂサイトにアクセスしようとしていることを知ることができ、フィルタサーバから再度警告されることを回避させることができる。
【０１００】
なお、本実施の形態におけるクライアントにおいても、実施の形態２に示されるように、検索結果のＷｅｂページを取得する場合において、検索結果のＷｅｂページに含まれる情報のうち、有害なＷｅｂページに関する情報にマークをつけるとしてもよいし、有害なＷｅｂページに関する情報を削除するとしてもよい。
【０１０１】
（実施の形態４）
次に、本発明に係る実施の形態４について図面を参照しながら説明する。
【０１０２】
本実施の形態における有害サイトフィルタリング補助装置は、自装置で保持しているプレフィルタリスト以外に、他の有害サイトフィルタリング補助装置で保持されているプレフィルタリストも利用して照合するクライアントであることを特徴とする。
【０１０３】
以上の点を踏まえて本実施の形態における有害サイトフィルタリング補助装置、すなわち、クライアントについて説明する。なお、実施の形態３における構成要素と同一の構成要素については、同一の参照符号を付して説明を省略する。
【０１０４】
まず、本実施の形態におけるクライアントを備える有害サイトフィルタシステムのシステム構成について説明する。
【０１０５】
図２１に示されるように、有害サイトフィルタシステム４００は、有害サイトフィルタシステム３００と比べて、下記の点が異なる。
【０１０６】
（１）クライアント３０１の代わりに、クライアント４０１を備える。
クライアント４０１は、自装置で保持しているプレフィルタリスト以外に、他の有害サイトフィルタリング補助装置で保持されているプレフィルタリストも利用して照合する機能も備えるネットワーク装置である。具体的には、クライアント４０１は、クライアント４０２，４０３で保持されているプレフィルタリストも利用して照合する。
【０１０７】
続いて、本実施の形態におけるクライアントの機能構成について説明する。
図２２に示されるように、クライアント４０１は、クライアント３０１と比べて、下記の点が異なる。
【０１０８】
（１）プレフィルタリスト照合部３１２の代わりに、プレフィルタリスト照合部４１２を備える。
【０１０９】
プレフィルタリスト照合部４１２は、Ｗｅｂページの識別情報を照合するときに、プレフィルタリスト保持部４１１で保持しているプレフィルタリスト以外に、クライアント４０２のプレフィルタリスト保持部４２１で保持されているプレフィルタリスト、およびクライアント４０３のプレフィルタリスト保持部４３１で保持されているプレフィルタリストも利用する。ここでは、一例として、他の有害サイトフィルタリング補助装置で保持されているプレフィルタリストを取得して自装置で保持しているプレフィルタリストに反映する。
【０１１０】
続いて、本実施の形態におけるクライアントにおいて実行されるプレフィルタ処理について説明する。
【０１１１】
図２３に示されるように、クライアント４０１は、入力デバイスを介して、Ｗｅｂページの識別情報をユーザ１０４から受け付けると（Ｓ３０１）、他の有害サイトフィルタリング補助装置で保持されているプレフィルタリストを取得し（Ｓ４０１）、自装置で保持しているプレフィルタリスト、および他の有害サイトフィルタリング補助装置から取得したプレフィルタリストも含めて利用し、Ｗｅｂページの識別情報とプレフィルタリストとを照合する（Ｓ３０２）。
【０１１２】
以上説明したように、本実施の形態における有害サイトフィルタリング補助装置によれば、他の有害サイトフィルタリング補助装置で警告されたＷｅｂページの識別情報も利用することができ、より多くの機会で、フィルタサーバで遮断される前に、ユーザが有害なＷｅｂサイトにアクセスしようとしていることを知ることができ、フィルタサーバから再度警告されることを回避させることができる。
【０１１３】
なお、実施の形態１または実施の形態２におけるプレフィルタサーバにおいても、本実施の形態に示されるように、プレフィルタリストを交換するとしてもよい。
【０１１４】
なお、他の有害サイトフィルタリング補助装置で保持されているプレフィルタリストを、Ｗｅｂページの識別情報を照合するときに取得するとしてもよいし、定期的に取得するとしてもよいし、空き時間を見計らって不定期に取得するとしてもよい。
【０１１５】
なお、実施の形態１における有害サイトフィルタシステムにおいて、複数のプレフィルタサーバで構成され、本実施の形態におけるクライアントのように、実施の形態１におけるプレフィルタサーバにおいても、自装置で保持しているプレフィルタリスト以外に、他装置で保持されているプレフィルタリストを利用するとしてもよい。また、実施の形態２における有害サイトフィルタシステムについても同様であるとしてもよい。
【０１１６】
（その他）
なお、本発明に係る有害サイトフィルタリング補助装置は、ネットワークインターフェース以外に、ＣＰＵ（Central Processing Unit）、ＲＡＭ（Random Access Memory）、ＲＯＭ（Read Only Memory）、ＨＤＤ（Hard Disk Drive）、入出力インターフェース（例えば、バスなど。）、入力デバイス（例えば、キーボードなど。）、出力デバイス（例えば、ディスプレイなど。）なども備えるとしてもよい。
【０１１７】
さらに、ＨＤＤなどには、ＯＳ（Operating System）、およびＯＳの稼働下で実行されるプログラム（以下、有害サイトフィルタリング補助プログラムと呼称する。）がインストールされているとしてもよい。そして、有害サイトフィルタリング補助プログラムが実行されることによって、入出力インターフェースに接続されている入力デバイス、出力デバイス、およびネットワークインターフェースなどを利用して、本発明に係る有害サイトフィルタリング補助装置の各機能が実現されるとしてもよい。
【０１１８】
また、コンピュータシステム、組み込みシステムなどのようなハードウェアシステムに読み出され得るように、光学記録媒体（例えば、ＣＤ−ＲＯＭなど。）、磁気記録媒体（例えば、ハードディスクなど。）、光磁気記録媒体（例えば、ＭＯなど。）、半導体メモリ（例えば、メモリカードなど。）などのようなコンピュータ読み取り可能な記録媒体に有害サイトフィルタリング補助プログラムを記録しておくとしてもよい。そして、これらの記録媒体を介して、他のハードウェアシステムにおいて実行されるとしてもよい。
【０１１９】
また、ネットワークに接続されているハードウェアシステムに有害サイトフィルタリング補助プログラムを格納しておき、ネットワークを介して、有害サイトフィルタリング補助プログラムをダウンロードした他のハードウェアシステムにおいて実行されるとしてもよい。
【０１２０】
なお、一つの装置で、クライアント、プレフィルタサーバ、およびフィルタサーバのいずれか二つを兼用するとしてもよいし、全てを兼用するとしてもよい。
【産業上の利用可能性】
【０１２１】
本発明は、有害なＷｅｂページを公開しているＷｅｂサイトのアクセスがフィルタサーバで遮断される前に、そのＷｅｂサイトのアクセスが過去に遮断されたことをユーザに知らせ不用意なアクセスを減らさせるネットワーク装置などとして、利用することができる。
【図面の簡単な説明】
【０１２２】
【図１】本発明に係る実施の形態１における有害サイトフィルタシステムのシステム構成を示す図である。
【図２】本発明に係る実施の形態１におけるプレフィルタサーバの機能構成を示す図である。
【図３】本発明に係る実施の形態１におけるプレフィルタサーバにおいて保持されているプレフィルタリストのデータ構造の例を示す図である。
【図４】本発明に係る実施の形態１におけるクライアントにおいて表示される確認用Ｗｅｂページの画面表示例を示す図である。
【図５】本発明に係る実施の形態１におけるクライアントにおいて表示される警告用Ｗｅｂページの画面表示例を示す図である。
【図６】本発明に係る実施の形態１におけるプレフィルタサーバにおいて実行されるプレフィルタ処理を示す図である。
【図７】本発明に係る実施の形態１における有害サイトフィルタシステムの動作例を示す第１の図である。
【図８】本発明に係る実施の形態１における有害サイトフィルタシステムの動作例を示す第２の図である。
【図９】本発明に係る実施の形態１における有害サイトフィルタシステムの動作例を示す第３の図である。
【図１０】本発明に係る実施の形態２における有害サイトフィルタシステムのシステム構成を示す図である。
【図１１】本発明に係る実施の形態２におけるプレフィルタサーバの機能構成を示す図である。
【図１２】本発明に係る実施の形態２におけるクライアントにおいて表示される検索結果のＷｅｂページの画面表示例を示す図である。
【図１３】本発明に係る実施の形態２におけるプレフィルタサーバにおいて実行されるプレフィルタ処理を示す図である。
【図１４】本発明に係る実施の形態２におけるクライアントにおいて表示される検索結果のＷｅｂページの他の画面表示例を示す図である。
【図１５】本発明に係る実施の形態３における有害サイトフィルタシステムのシステム構成を示す図である。
【図１６】本発明に係る実施の形態３におけるクライアントの機能構成を示す図である。
【図１７】本発明に係る実施の形態３におけるクライアントにおいて実行されるプレフィルタ処理を示す図である。
【図１８】本発明に係る実施の形態３におけるクライアントの動作例を示す第１の図である。
【図１９】本発明に係る実施の形態３におけるクライアントの動作例を示す第２の図である。
【図２０】本発明に係る実施の形態３におけるクライアントの動作例を示す第３の図である。
【図２１】本発明に係る実施の形態４における有害サイトフィルタシステムのシステム構成を示す図である。
【図２２】本発明に係る実施の形態４におけるクライアントの機能構成を示す図である。
【図２３】本発明に係る実施の形態４におけるクライアントにおいて実行されるプレフィルタ処理を示す図である。
【符号の説明】
【０１２３】
１００，２００，３００，４００  有害サイトフィルタシステム
１０１，３０１，４０１  クライアント
１０２，２０２  プレフィルタサーバ
１０３  フィルタサーバ
１２１  プレフィルタリスト保持部
１２２  プレフィルタリスト照合部
１２３，２２３  プレフィルタリスト登録部
３１１  プレフィルタリスト保持部
３１２，４１２  プレフィルタリスト照合部
３１３  プレフィルタリスト登録部
【図１】
2006309357.tif 000003
【図２】
2006309357.tif 000004
【図３】
2006309357.tif 000005
【図４】
2006309357.tif 000006
【図５】
2006309357.tif 000007
【図６】
2006309357.tif 000008
【図７】
2006309357.tif 000009
【図８】
2006309357.tif 000010
【図９】
2006309357.tif 000011
【図１０】
2006309357.tif 000012
【図１１】
2006309357.tif 000013
【図１２】
2006309357.tif 000014
【図１３】
2006309357.tif 000015
【図１４】
2006309357.tif 000016
【図１５】
2006309357.tif 000017
【図１６】
2006309357.tif 000018
【図１７】
2006309357.tif 000019
【図１８】
2006309357.tif 000020
【図１９】
2006309357.tif 000021
【図２０】
2006309357.tif 000022
【図２１】
2006309357.tif 000023
【図２２】
2006309357.tif 000024
【図２３】
2006309357.tif 000025